(57)【要約】　　　（修正有）【課題】組立て前の構成部品の体積が小さく、運送に便利で、且つ、組み立てが簡単で、使用者が自ら組み立てるのに適した、石鹸を乾燥した状態に保つ、組立式石鹸台の提供。【解決手段】可撓性を備えた受け板２０と、２本の円弧状の支持棒３０を含み、前記受け板中央位置に数個の透孔２１を形成し、且つ、該受け板の四隅にそれぞれ通孔を形成し、前記支持棒の両端部を、前記受け板の通孔にそれぞれ穿通し、且つ、該受け板の底面に貫通した該支持棒にそれぞれ固定具４０を挿通し、該固定具により、該受け板の四隅を、各支持棒に沿って上方向へ持ち上げ、該受け板は、２本の前記支持棒の徐々に間隔が狭くなっている円弧形に沿って四隅が持ち上げられ、中央部が窪んだ椀状を形成し、さらに、底板１０を含んでもよく、該底板は、前記受け板のそれぞれの通孔位置に相対する貫通孔を備え、各貫通孔は、前記２本の支持棒の両端が穿通され、該底板を前記受け板の底面位置に固定する。【選択図】　　図２
0003100156.tif 000002
【実用新案登録請求の範囲】
【請求項１】
　可撓性を備えた受け板と、２本の支持棒とを含み、前記受け板は、中央位置に数個の透孔を備え、且つ、該受け板の四隅にそれぞれ通孔を設置し、前記支持棒は、両端を前記受け板の通孔に穿通し、且つ、各支持棒の該受け板底部の位置にそれぞれ固定具を挿通し、該固定具により、前記受け板の四隅を該支持棒に沿ってそれぞれ押し上げ、該受け板中央部に窪み
を形成する組立式石鹸台。　　　　　　　　
【請求項２】
　前記受け板には、前記受け板の下方に前記受け板の通孔に相対する位置に貫通孔をそれぞれ設け、前記支持棒の両端を該貫通孔に穿通し、底板を位置させる構成とした請求項１に記載の組立式石鹸台。
【請求項３】
　前記支持棒が円弧形である、請求項１に記載の組立式石鹸台。
【考案の詳細な説明】
【技術分野】
【０００１】
　本考案は、石鹸を置いて使用する組立式石鹸台に関する。
【背景技術】
【０００２】
　従来の石鹸台は、箱体、蓋体、及び鉤片から成り、前記箱体は側面に通孔を備え、前記蓋体は側面板に接合塊を設け、該接合塊は、前記箱体上に組接され、前記鉤片は、一端が前記箱体上に接続され、別の一端には鉤孔を設け、該鉤孔は、前記蓋体内面に形成された鉤突起に引掛けられ、さらに、該鉤片上に複数の長孔を設け、該長孔を、前記箱体内部に設けた仕切り板に合わせ活動させることができる構造である。
【０００３】
　このような石鹸台は、壁面に固定するための固定片を備え、該固定片は、釘を該固定片に形成された釘孔に穿通し、壁面上に位置決め固定され、さらに、固定片上のT字形スライド突起と、前記箱体底部に上方向に開設した固定溝を嵌合し、壁面上に該石鹸台を掛けて設置する機能を備えている。
【０００４】
　このような石鹸台の構造は、使用者が石鹸を置き、清掃や入浴に用いるが、このような石鹸台の構造は、全体の構成が複雑であり、且つ、組立て前の構成部品の体積が大きく、大量に運送する際、不便である。
【０００５】
　このほか、前述のような石鹸台の箱体は、釘を前記固定片に形成された釘孔に穿通し、壁面上に該固定片を固定し、該固定片上のT字形スライド突起と、箱体底部に上方向に開設した固定溝を嵌合して連結し、壁面上に石鹸台を掛けることができるが、このような組立て方法は不便であり、また、使用者による組立てに不適切で、実用性に欠ける。
【考案の開示】
【考案が解決しようとする課題】
【０００６】
　前記の問題に鑑みて、本考案の目的は、組立て前の構成部品の体積が小さく、運送に便利で、且つ、組み立てが簡単で、使用者が自ら組み立てるのに適した、石鹸を乾燥した状態に保
つことのできる、組立式石鹸台を提供することにある。　　　　
【課題を解決するための手段】
【０００７】
　本考案の組立式石鹸台は、可撓性を備えた受け板と、２本の円弧状の支持棒を含み、前記受け板中央位置に数個の透孔を形成し、且つ、該受け板の四隅にそれぞれ通孔を形成し、前記支持棒の両端部を、前記受け板の通孔にそれぞれ穿通し、且つ、該受け板の底面に貫通した該支持棒にそれぞれ固定具を挿通し、該固定具により、該受け板の四隅を、各支持棒に沿って上方向へ持ち上げ、該受け板は、２本の前記支持棒の徐々に間隔が狭くなっている円弧形に沿って四隅が持ち上げられ、中央部が窪んだ椀状を形成する。
【０００８】
　本考案の組立て式石鹸台は、さらに、底板を含んでもよく、該底板は、前記受け板のそれぞれの通孔位置に相対する貫通孔を備え、各貫通孔は、前記２本の支持棒の両端が穿通され、該底板を前記受け板の底面位置に固定する。
【考案の効果】
【０００９】
　本考案の石鹸台は、構成部品の体積が小さく、大量の運送に便利であり、且つ、組立てが簡単で、使用者自らが組み立てるのに好適である。
【実施例１】
【００１０】
　図１から図３に示すように、本考案の石鹸台は、主に底板１０と、受け板２０、２本の支持棒３０から成り、前記底板１０は、プラスチック製の板片で、外周縁は波型の辺縁１１を備え、且つ、該底板１０の四隅には、それぞれ貫通孔１２が形成される。前記受け板２０は、可撓性と弾力性を備えたPP板で、該受け板２０の外形は花弁状を呈し、且つ、該受け板２０は中央位置に数個の透孔２１を備え、該受け板２０の前記底板１０の貫通孔１２に相対する位置に、それぞれ通孔２２を設ける。前記２本の支持棒３０は、金属材質の円弧形の棒体で、各指示棒３０の両端は、前記受け板２０の通孔２２と、前記底板１０の貫通孔１２にそれぞれ穿通され、前記受け板２０を、底板１０の上方に位置させ、該受け板２０と底板１０の間に位置する各支持棒３０に、プラスチック材の固定具４０をそれぞれ挿通させ、各固定具４０は、前記受け板２０の四隅を、前記支持棒３０に沿って上方向に支持し、該受け板２０は、図２及び図３に示すように、その四隅が前記支持棒３０の徐々に間隔が狭くなっている円弧形に沿って持ち上げられ、中央部が窪んだ椀状を形成する。さらに、各支持棒３０の前記底板１０を貫通した先端部に、それぞれ軟質カバー５０を被嵌する。
【００１１】
　前述の構成により、図１から図３に示すように、本考案の石鹸台は、底板１０と、受け板２０、支持棒３０、固定具４０、軟質カバー５０から形成され、全体の構成部品が単純であり、組立て前の部品体積も小さく、大量運送に好適である。
【００１２】
　組立て時においては、前記支持棒３０の両端をそれぞれ前記受け板２０の通孔２２及び底板１０の貫通孔１２に穿通し、該受け板２０を底板１０の上方に位置させ、各支持棒３０の前記受け板２０と底板１０間に位置する箇所に、それぞれプラスチック材の固定具４０を挿通し、さらに、該支持棒３０の底板１０を貫通した先端部にそれぞれ軟質カバー５０を被嵌する。その後、使用者は、前記固定具４０により、前記受け板２０の四隅を前記支持棒３０に沿って上方向へ押し上げ、該受け板２０は、該支持棒３０が徐々に間隔が狭くなっている円弧形であるため、中央が窪んだ椀状を形成する。このように、本考案の石鹸台は、組立てが簡単で便利であり、使用者が自ら組み立てるのに好適である。
【００１３】
　前述の構造により、使用者は、受け板２０の窪んだ中央部に石鹸（図未表示）を置き、入浴や清掃に用いることができる。また、該石鹸台の受け板２０中央部には、数個の透孔２１が形成させており、使用者が石鹸を使用後、該受け板２０上に石鹸を置くと、石鹸上の水滴や泡沫は、該受け板２０の透孔２１から下方へ流出し、石鹸を常に乾燥した状態に保つことができる。
【実施例２】
【００１４】
　図４に示すように、前記受け板２０の外周縁は波型に形成してもよく、使用者は、各固定具４０を利用し、受け板２０の四隅を、各支持棒３０に沿って上方向へ押し上げ、該受け板２０の中央部を窪ませ円弧状にし、前述同様に、該受け板２０上に石鹸を置いて使用することができる。
【図面の簡単な説明】
【００１５】
【図１】本考案の石鹸台の立体分解図である。
【図２】本考案の石鹸台の立体斜視図である。
【図３】本考案の石鹸台の側面図である。
【図４】本考案の石鹸台の別の実施例を示す立体斜視図である。
【符号の説明】
【００１６】
　１０　　　底板
　１１　　　辺縁
　１２　　　通孔
　２０　　　受け板
　２１　　　透孔
　２２　　　貫通孔
　３０　　　支持棒
　４０　　　固定具
　５０　　　軟質カバー
【図１】
0003100156.tif 000003
【図２】
0003100156.tif 000004
【図３】
0003100156.tif 000005
【図４】
0003100156.tif 000006